(57)【要約】      （修正有）【課題】蓋を開けたときに宝飾品を含む狭範囲のみを照らして宝飾品を効果的に浮かび上がらせるとともに、光源が直接目に入らないようにする。【解決手段】リングケースなどの宝石箱において、指向性の高いＬＥＤランプを蓋の裏側であって本体ケースとの連結部の反対側の内壁に、蓋を開けたときに宝飾品が配置される位置に向けて取り付ける。蓋の開閉により導通するスイッチ手段を設け、蓋が開いたときにＬＥＤランプが点灯し、閉じたときに消灯するよう構成する。【選択図】図２
0003111608.tif 000002
【実用新案登録請求の範囲】
【請求項１】
ケース本体と、該ケース本体の縁に連結されケース本体に対し所定角度拡開する蓋部と、前記ケース本体の収容物を照らすＬＥＤランプと、前記蓋部が開いたときに前記ＬＥＤランプを点灯させ閉じたときに消灯させるスイッチ手段とを具えることを特徴とする宝石箱。
【請求項２】
請求項１に記載の宝石箱において、前記ケース本体が指輪を配置するスリットを具えるとともに、前記ＬＥＤランプが前記蓋部を開いたときに前記スリット中央に向くよう取り付けられていることを特徴とする宝石箱。
【請求項３】
請求項１または２に記載の宝石箱において、前記蓋部が所定の高さを有するとともに、前記ＬＥＤライトが前記蓋部の裏側であって前記本体ケースとの連結部の反対側の内壁に取り付けられていることを特徴とする宝石箱。
【請求項４】
請求項１乃至３のいずれかに記載の宝石箱において、前記ＬＥＤランプが白色ＬＥＤランプであることを特徴とする宝石箱。
【考案の詳細な説明】
【技術分野】
【０００１】
本考案は宝石箱に関し、特に、リングケースなどにスイッチとＬＥＤランプを組み込み、開けると宝飾品が美しく輝くようにした宝石箱に関する。
【背景技術】
【０００２】
例えば特許文献１には、ケース内部に紫外線照射手段を設け、ケース上蓋の開閉に応じてケース本体の内側面に対して紫外線を照射する宝石箱が記載されている。この他、宝石箱の内側に光源を配設し蓋の開閉に連動して光を発するものが開示されている（例えば、特許文献２，３）。
【０００３】
【特許文献１】特開２００１−２１１９２２号公報
【特許文献２】実開平  ３−０６７１２４号公報
【特許文献３】実開昭６３−１９９６１７号公報
【考案の開示】
【考案が解決しようとする課題】
【０００４】
本考案が解決しようとする問題点は、蓋を開けたときに宝飾品のみ、または宝飾品を含む狭範囲のみを照らして宝飾品を効果的に浮かび上がらせることが難しいことと、蓋を開いたときに光源が直接目に入って見づらくなることにある。
【０００５】
本考案は、指向性の高いＬＥＤランプを用いて内部の宝飾品のみ、あるいは宝飾品を含む狭範囲のみを照らして宝飾品を効果的に浮かび上がらせるとともに、ＬＥＤランプを蓋の裏側であって本体ケースとの連結部の反対側の内壁に配置することにより蓋を開けたときに光源が目に入りにくくした宝石箱を提供することを目的とする。
【課題を解決するための手段】
【０００６】
本考案に係る宝石箱は、ケース本体と、該ケース本体の縁部に連結されケース本体に対し所定角度拡開する蓋部と、ケース本体の収容物を照らすＬＥＤランプと、前記蓋部が開いたときに前記ＬＥＤランプを点灯させ閉じたときに消灯させるスイッチ手段とを具えることを最も主要な特徴とする。
【０００７】
この宝石箱において、前記ケース本体が指輪を配置するスリットを具えるとともに、前記ＬＥＤランプが前記蓋部を開いたときに前記スリット中央に向くよう取り付けられていることが有効である。
【０００８】
また、前記蓋部が所定の高さを有するとともに、前記ＬＥＤライトが前記蓋部の裏側であって前記本体ケースとの連結部の反対側の内壁に取り付けられていることが有効である。
【０００９】
また、前記ＬＥＤランプが白色ＬＥＤランプであることが有効である。
【考案の効果】
【００１０】
本考案の宝石箱では、ＬＥＤランプを用いて宝飾品を照らすようにしたため夜間や暗い場所で宝飾品をきれいに表示することができる。また、ＬＥＤは耐久性に優れるとともに、発色がきれいで、特に指向性に優れているといるため、宝飾品または宝飾品を含む狭範囲のみを美しく浮かび上がらせることができる。さらに、蓋を所定高さに構成してその裏側にＬＥＤランプを極力隠すように配置したため、蓋を開けたときに光源が直接目に入るのを防止することができる。さらに、白色ＬＥＤランプを用いることにより、特にダイヤモンドをあしらった指輪などを照らす場合に美しい輝きを得ることができる。
【００１１】
また、キャッツ・アイ、スタールビー、スターサファイヤ、といった模様が石の表面にあらわれる宝石に本考案を適用すると、これらの石の持つ特殊効果（模様）がより鮮明に浮かび上がって見えるという効果がある。
【考案を実施するための最良の形態】
【００１２】
本考案を実施するための最良の形態を、添付の図面を参照しながら以下に詳細に説明する。
【実施例１】
【００１３】
図１は、本考案にかかる宝石箱の一実施例を示す斜視図である。本実施例の宝石箱はリングケースであり、ケース本体１と、該本体１の縁部に連結された蓋部２と、蓋部２に配設されたＬＥＤランプ３とを具えている。蓋部２はケース本体１の縁部に蝶番構造で連結され、閉じた状態から約８０度まで拡開する。ケース本体１および蓋部２の外装にはベルベット等の起毛素材が用いられており、例えば紺色に着色されている。蓋部２の内張は例えば白いサテンなど光沢素材が用いられ、高級感を醸し出している。ケース本体１には中央に指輪１０を配置するスリット４を具える台座５が取り付けられている。この台材５もケース外装と同じベルベット等の起毛素材が用いられている。ＬＥＤランプ３は、蓋部２の裏側であってケース本体１との連結部の反対側の側壁から突出するよう配設されており、蓋部２を開いた状態でスリット４の中央の方向に向く角度に取り付けられている。ＬＥＤランプ３は白色ＬＥＤが用いられる。
【００１４】
図２は、本実施例の内部構造を示す部分断面図である。本図に示すように、ケース本体１と蓋部２とは蝶番６で連結されており、蓋部２において蝶番６と反対側の内壁にＬＥＤランプ３が斜め下方向に向けて取り付けられている。ＬＥＤランプ２のコードは蓋部２の内張内に配線され、蝶番６の部分に設けられた導電プレート７ａに連結されている。この導電プレート７ａは蓋部２の開閉に伴って図２に示す矢印方向に回動する。一方、ケース本体１において導電プレート７ａに対応する位置に導電プレート７ｂが設けられており、この導電プレート７ｂは電池８に接続されている。蓋部２の拡開に伴い導電プレート７ａが導電プレート７ｂに接触すると導通し、ＬＥＤランプ３が点灯する。蓋部２を閉じると導電プレート７ａ，７ｂが離隔し、回路が開放されてＬＥＤランプ３が消灯する。導電プレート７ａ，７ｂ、電池８は台座５の下側に配置されており、リングケースを開けた場合でも台座５を取り外さなければ見えることはない。
【００１５】
蓋部２を開けＬＥＤランプ３が点灯すると、ＬＥＤランプ３は高い指向性を有するため、指輪１０を含む狭範囲のみを鮮やかな白色光で照らし、指輪１０を輝かせる。この場合に、台座５に紺色の起毛素材を用いているため余剰の光が吸収され、指輪のみが美しく輝くことになる。特に、指輪１０にダイヤモンド等の宝石が設けられている場合は光が乱反射して美しい輝きを得ることができる。また、夜間やレストランなどの暗い場面では指輪が特に美しく浮かび上がり、例えば指輪をプレゼントする場合などに雰囲気を高めることができる。また、図１に示すように蓋部２はボックス形状を有し、手前側の内壁にＬＥＤランプ３を設けているため、蓋部２を開いた場合でもＬＥＤランプ３の光が直接目に入ることがなく、指輪１０のみを美しく演出することができる。
【００１６】
以上、本考案の実施例について詳細に説明したが、本考案の技術的範囲は上記実施例に限られるものではなく、本考案は様々な実施例として実現することができる。上記実施例ではリングケースを用いて説明したが、本考案はネックレス、イヤリング、ピアス、ブローチ、カフスボタン、ネクタイピンなどのケースとして構成してもよい。いずれの場合でも、蓋部を開けたときに宝飾品を含む狭範囲を照らすようＬＥＤランプを配置して、宝飾品のみが美しく輝くようにする。なお、ネックレスのようにある程度の大きさがある場合はペンダントヘッド部分を照らすようＬＥＤランプを配置することが有効である。また、内部に収納する宝飾品によってケースや台座の構成は適宜決定されることは自明である。また、宝石箱の外装や内張などの装飾も上記実施例に限定されず、様々なものを適用することができる。また、上記実施例では白色ＬＥＤを用いているが、内部に収容する宝石の色などに合わせ他の色のＬＥＤを用いるようにしてもよい。さらに、スイッチ手段の構成も上記実施例のものに限らず、例えば蓋の開閉を検知する圧力検出ピンを用いる構成や、フォトダイオードなどの光センサを具える構成としてもよく、さらに使用者が自らスイッチを入れるボタンを具えるようにしてもよい。
【産業上の利用可能性】
【００１７】
本考案は、蓋を開けるとＬＥＤが内部に収納した宝飾品を美しく輝かせる宝石箱に関し、貴金属業ならびに宝石箱の製造業に利用することができる。
【図面の簡単な説明】
【００１８】
【図１】宝石箱の構成を示す斜視図である。
【図２】宝石箱の内部構成を示す部分断面図である。
【符号の説明】
【００１９】
１    ケース本体
２    蓋部
３    ＬＥＤランプ
４    スリット
５    台座
６    蝶番
７    導通プレート
８    電池
【図１】
0003111608.tif 000003
【図２】
0003111608.tif 000004